【手続補正書】
【提出日】平成20年4月3日(2008.4.3)
【手続補正１】
【補正対象書類名】明細書
【補正対象項目名】発明の名称
【補正方法】変更
【補正の内容】
【発明の名称】画像形成装置及び現像方法
【手続補正２】
【補正対象書類名】明細書
【補正対象項目名】特許請求の範囲
【補正方法】変更
【補正の内容】
【特許請求の範囲】
【請求項１】  像形成体、
該像形成体上に静電潜像を形成する潜像形成手段、
現像剤担持体により現像領域に二成分磁性現像剤を搬送して、前記像形成体上の静電潜像を現像する現像装置、
該現像装置中の二成分磁性現像剤の透磁率を計測することにより二成分磁性現像剤のトナー濃度を検知するトナー濃度検知手段、
前記現像装置にトナーを補給するトナー補給手段及び、
該トナー濃度検知手段の出力に基づいて、前記トナー補給手段を制御する制御手段を有する画像形成装置であって、
前記制御手段は、記録材の搬送速度毎に設定されたデータに基づいて、トナー補給手段の制御における閾値の変更又は前記トナー濃度検知手段の出力値の変更を行って前記トナー補給手段を制御することを特徴とする画像形成装置。
【請求項２】  前記データを記憶する記憶手段を有し、該記憶手段には、現像剤投入時の初期調整時に記録材搬送速度毎の前記トナー濃度検知手段の出力値から演算して得た、前記制御手段の制御閾値、前記トナー濃度検知手段の出力値を変更する制御電圧又は前記トナー濃度検知手段の出力の補正値の前記データが記憶されることを特徴とする請求項１に記載の画像形成装置。
【請求項３】  前記二成分磁性現像剤は、非磁性トナー及び磁性キャリアを含有することを特徴とする請求項１又は請求項２に記載の画像形成装置。
【請求項４】  前記非磁性トナーは、重合トナーであることを特徴とする請求項３に記載の画像形成装置。
【請求項５】  二成分磁性現像剤中のトナー濃度を検知するトナー濃度検知手段の出力に基づいて、現像装置にトナーを補給するトナー補給手段を制御して像形成体上の静電潜像を現像する現像方法において、前記像形成体の移動速度毎に設定されたデータに基づいて、前記トナー補給手段の駆動のための閾値の変更又は前記トナー濃度検知手段の出力の変更を行って前記トナー補給手段を制御することを特徴とする現像方法。
【請求項６】  前記二成分磁性現像剤は、非磁性トナー及び磁性キャリアを含有することを特徴とする請求項５に記載の現像方法。
【請求項７】  前記非磁性トナーは、重合トナーであることを特徴とする請求項６に記載の現像方法。
【手続補正３】
【補正対象書類名】明細書
【補正対象項目名】０００１
【補正方法】変更
【補正の内容】
【０００１】
【発明の属する技術分野】
本発明は電子写真方式により画像を形成する画像形成装置及び現像方法に関する。
【手続補正４】
【補正対象書類名】明細書
【補正対象項目名】００１２
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２１
【補正方法】変更
【補正の内容】
【００２１】
本発明の目的は、透磁率の計測によりトナー濃度を検知し、検知結果に基づいてトナー補給制御を行う場合における従来技術の前記した問題を解決し、常に適正な濃度の画像を形成することができる画像形成装置及び現像方法を提供することを目的とする。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】変更
【補正の内容】
【００３７】
１．像形成体、
該像形成体上に静電潜像を形成する潜像形成手段、
現像剤担持体により現像領域に二成分磁性現像剤を搬送して、前記像形成体上の静電潜像を現像する現像装置、
該現像装置中の二成分磁性現像剤の透磁率を計測することにより二成分磁性現像剤のトナー濃度を検知するトナー濃度検知手段、
前記現像装置にトナーを補給するトナー補給手段及び、
該トナー濃度検知手段の出力に基づいて、前記トナー補給手段を制御する制御手段を有する画像形成装置であって、
前記制御手段は、記録材の搬送速度毎に設定されたデータに基づいて、トナー補給手段の制御における閾値の変更又は前記トナー濃度検知手段の出力値の変更を行って前記トナー補給手段を制御することを特徴とする画像形成装置。
【手続補正２３】
【補正対象書類名】明細書
【補正対象項目名】００３８
【補正方法】変更
【補正の内容】
【００３８】
２．前記データを記憶する記憶手段を有し、該記憶手段には、現像剤投入時の初期調整時に記録材搬送速度毎の前記トナー濃度検知手段の出力値から演算して得た、前記制御手段の制御閾値、前記トナー濃度検知手段の出力値を変更する制御電圧又は前記トナー濃度検知手段の出力の補正値の前記データが記憶されることを特徴とする前記１に記載の画像形成装置。
【手続補正２４】
【補正対象書類名】明細書
【補正対象項目名】００３９
【補正方法】変更
【補正の内容】
【００３９】
３．前記二成分磁性現像剤は、非磁性トナー及び磁性キャリアを含有することを特徴とする前記１又は前記２に記載の画像形成装置。
【手続補正２５】
【補正対象書類名】明細書
【補正対象項目名】００４０
【補正方法】変更
【補正の内容】
【００４０】
４．前記非磁性トナーは、重合トナーであることを特徴とする前記３に記載の画像形成装置。
【手続補正２６】
【補正対象書類名】明細書
【補正対象項目名】００４１
【補正方法】変更
【補正の内容】
【００４１】
５．二成分磁性現像剤中のトナー濃度を検知するトナー濃度検知手段の出力に基づいて、現像装置にトナーを補給するトナー補給手段を制御して像形成体上の静電潜像を現像する現像方法において、前記像形成体の移動速度毎に設定されたデータに基づいて、前記トナー補給手段の駆動のための閾値の変更又は前記トナー濃度検知手段の出力の変更を行って前記トナー補給手段を制御することを特徴とする現像方法。
【手続補正２７】
【補正対象書類名】明細書
【補正対象項目名】００４２
【補正方法】変更
【補正の内容】
【００４２】
６．前記二成分磁性現像剤は、非磁性トナー及び磁性キャリアを含有することを特徴とする前記５に記載の現像方法。
【手続補正２８】
【補正対象書類名】明細書
【補正対象項目名】００４３
【補正方法】変更
【補正の内容】
【００４３】
７．前記非磁性トナーは、重合トナーであることを特徴とする前記６に記載の現像方法。
【手続補正２９】
【補正対象書類名】明細書
【補正対象項目名】０１４９
【補正方法】削除
【補正の内容】
【手続補正３０】
【補正対象書類名】明細書
【補正対象項目名】０１５０
【補正方法】削除
【補正の内容】
【手続補正３１】
【補正対象書類名】明細書
【補正対象項目名】０１５１
【補正方法】削除
【補正の内容】
【手続補正３２】
【補正対象書類名】明細書
【補正対象項目名】０１５２
【補正方法】削除
【補正の内容】
【手続補正３３】
【補正対象書類名】明細書
【補正対象項目名】０１５３
【補正方法】削除
【補正の内容】
【手続補正３４】
【補正対象書類名】明細書
【補正対象項目名】０１５４
【補正方法】削除
【補正の内容】
【手続補正３５】
【補正対象書類名】明細書
【補正対象項目名】０１５５
【補正方法】削除
【補正の内容】
【手続補正３６】
【補正対象書類名】明細書
【補正対象項目名】０１５６
【補正方法】削除
【補正の内容】
【手続補正３７】
【補正対象書類名】明細書
【補正対象項目名】０１５７
【補正方法】変更
【補正の内容】
【０１５７】
請求項１、２又は５の発明により、プロセス速度の変更、画像形成装置の作動履歴等複雑な変動要因に対して、透磁率を用いたトナー補給制御が適正な補正の元に行われる結果、濃度の変動等がなく高画質の画像が安定して形成される。
【手続補正３８】
【補正対象書類名】明細書
【補正対象項目名】０１５８
【補正方法】変更
【補正の内容】
【０１５８】
請求項３、４、６又は７の発明により、解像力、画像の細部の再現性等に優れた高画質の画像が形成される。